(57)【要約】      （修正有）【課題】アドレスの姿勢などを他人のアドバイスを受けることなく正しくする。【解決手段】クラブヘッド部材１１、非長尺のシャフト部材１２、グリップ部材１３を有するパタークラブ本体１と、シャフト部材１２に対して取り外し可能に装着されたＬ字状の補助シャフト部材２１、シャフト部材１２と平行なグリップ部材２２を有する補助グリップ部材２とを有し、クラブヘッド部材１１のフェースをグリップ部材１３とグリップ部材２２との中間位置に対応させて位置決めするようシャフト部材１２の所定範囲が湾曲されている。【選択図】図１
0003139382.tif 000002
【実用新案登録請求の範囲】
【請求項１】
クラブヘッド部材と、一方の端部がクラブヘッド部材と連結されたシャフト部材と、シャフト部材の他方の端部に装着されたグリップ部材とを有するパタークラブ本体と、シャフト部材のうち、グリップ部材よりもクラブヘッド部材寄りの所定位置において取り外し可能に装着されたＬ字状の補助シャフト部材と、補助シャフト部材のうち、シャフト部材と平行な部分に装着されたグリップ部材とを有する補助グリップ部材とを有し、クラブヘッド部材のフェースをパタークラブ本体のグリップ部材と補助グリップ部材のグリップ部材との中間位置に対応させて位置決めするようシャフト部材の一方の端部を基準とする所定範囲が湾曲されていることを特徴とするパタークラブ。
【請求項２】
補助シャフト部材のうち、シャフト部材に当接する端部は、両グリップ部材が互いに平行になるように位置決めする弧状凹所を有し、該端部に連続する所定範囲は、ねじ穴を有する固定用部材を有し、シャフト部材のうち、補助シャフト部材が当接される所定位置は、ねじ穴にねじ込まれるねじ部材を貫通させる貫通孔を有している請求項１に記載のパタークラブ。
【請求項３】
パタークラブ本体のグリップ部材と補助グリップ部材のグリップ部材との間隔がゴルフボールの直径と等しい距離に設定されているとともに、クラブヘッド部材のフェースがゴルフボールの半径と等しい距離だけオフセットされている請求項１に記載のパタークラブ。
【考案の詳細な説明】
【技術分野】
【０００１】
本考案はパタークラブに関し、さらに詳細にいえば、ゴルフルールに適合し、かつ正しいアドレスをとる練習を行うことができる新規なパタークラブに関する。
【背景技術】
【０００２】
従来から、種々の構成のパタークラブが提供されている。
しかし、パタークラブの多様性は、主として、クラブヘッド部材の構成の多様性に依存しており、シャフト部材およびグリップ部材の多様性に関しては、シャフト部材の長さ、グリップ部材の数、グリップ部材の断面形状に依存している。
【０００３】
シャフト部材およびグリップ部材に関しては、例えば、脚の長さよりもやや短い長さのシャフト部材と、非円形断面形状の外面を有する１つのグリップ部材を有するパタークラブと、身長よりもやや短い長さのシャフト部材と、円形断面形状の外面を有する２つのグリップ部材を有する、いわゆる長尺パタークラブがある。
【０００４】
また、シャフト部材としては、ストローク方向に関して後ろ側に所定距離だけクラブヘッド部材をオフセットさせるために湾曲させたもの、ストローク方向に関してクラブヘッド部材をオフセットさせないようにするためにほぼ直線状にしたものがある。
したがって、ゴルフプレーヤーが自己の好みにあったパタークラブを持って、グリーン上のゴルフボールにアドレスし、パタークラブをストロークすることによって、ゴルフボールをホールに向かって転がすことができる。
【考案の開示】
【考案が解決しようとする課題】
【０００５】
脚の長さよりもやや短い長さのシャフト部材と、非円形断面形状の外面を有する１つのグリップ部材を有するパタークラブを用いてゴルフボールに対するストロークを行う場合には、１つのグリップ部材を両手で把持する関係上、一方の手と他方の手の把持位置がシャフト部材の長手方向において互いに異なるので、パタークラブを持ってグリーン上のゴルフボールにアドレスした場合に、下側に位置する手の側の肩などが前に出てしまい、この結果、パタークラブをスクエアにストロークすることが困難になり、ゴルフボールがホールからずれた位置に向かって転がることになってしまう。
【０００６】
このような不都合の発生を防止しようとすれば、例えば、他人にアドレスの姿勢、ストロークの仕方などをみてもらい、上記の不都合が生じないように姿勢などを変更することが必要になるが、常に変更した姿勢をとることができる保証がない。
【０００７】
さらに、アドレスの姿勢などについて適切なアドバイスを行うことができる人は限られており、いつでもどこでも適切なアドバイスを受けることができる保証がない。
【０００８】
本考案は上記の問題点に鑑みてなされたものであり、アドレスの姿勢などを他人のアドバイスを受けることなく正しくすることができるパタークラブを提供することを目的としている。
【課題を解決するための手段】
【０００９】
本考案のパタークラブは、クラブヘッド部材と、一方の端部がクラブヘッド部材と連結されたシャフト部材と、シャフト部材の他方の端部に装着されたグリップ部材とを有するパタークラブ本体と、シャフト部材のうち、グリップ部材よりもクラブヘッド部材寄りの所定位置において取り外し可能に装着されたＬ字状の補助シャフト部材と、補助シャフト部材のうち、シャフト部材と平行な部分に装着されたグリップ部材とを有する補助グリップ部材とを有し、クラブヘッド部材のフェースをパタークラブ本体のグリップ部材と補助グリップ部材のグリップ部材との中間位置に対応させて位置決めするようシャフト部材の一方の端部を基準とする所定範囲が湾曲されたものである。
【００１０】
したがって、シャフト部材に装着されたグリップ部材と補助シャフト部材に装着されたグリップ部材を右手と左手で握ることによって、簡単にゴルフボールに対して正しいアドレスをとることができる。すなわち、一方の肩が前に出るような不都合のないアドレスをとることができる。
【００１１】
そして、このようにしてとったアドレスを記憶に留めたままで、シャフト部材に装着されたグリップ部材のみを両手で握ることによって、ゴルフボールに対して正しいアドレスをとることができる。すなわち、一方の肩が前に出るような不都合のないアドレスをとることができる。
【００１２】
これらの一連の動作を反復することによって、補助シャフト部材が存在しない場合であっても、ゴルフボールに対して正しいアドレスをとることができるようになる。
そして、ゴルフ競技の前に補助シャフト部材を取り外しておくことによって、ゴルフルールに適合するパタークラブでゴルフ競技を遂行することができる。
【００１３】
ここで、補助シャフト部材のうち、シャフト部材に当接する端部が、両グリップ部材が互いに平行になるように位置決めする弧状凹所を有し、該端部に連続する所定範囲が、ねじ穴を有する固定用部材を有し、シャフト部材のうち、補助シャフト部材が当接される所定位置が、ねじ穴にねじ込まれるねじ部材を貫通させる貫通孔を有していることが好ましく、補助シャフト部材の着脱を簡単に行うことができ、しかも、補助シャフト部材を簡単に正しい状態で装着することができる。
【００１４】
また、パタークラブ本体のグリップ部材と補助グリップ部材のグリップ部材との間隔がゴルフボールの直径と等しい距離に設定されているとともに、クラブヘッド部材のフェースがゴルフボールの半径と等しい距離だけオフセットされていることが好ましく、逆グリップ（利き手を手前側にしてグリップ部材を両手でグリップすること）により、スムーズなストロークを行うことができる。
【考案の効果】
【００１５】
本考案は、シャフト部材に装着されたグリップ部材と補助シャフト部材に装着されたグリップ部材を右手と左手で握ることによって、簡単にゴルフボールに対して正しいアドレスをとることができ、このようにしてとったアドレスを記憶に留めたままで、シャフト部材に装着されたグリップ部材のみを両手で握ることによって、ゴルフボールに対して正しいアドレスをとることができ、これらの一連の動作を反復することによって、補助シャフト部材が存在しない場合であっても、ゴルフボールに対して正しいアドレスをとることができるようにすることができる。
【００１６】
そして、ゴルフ競技の前に補助シャフト部材を取り外しておくことによって、ゴルフルールに適合するパタークラブでゴルフ競技を遂行することができる。
【考案を実施するための最良の形態】
【００１７】
以下、添付図面を参照して、本考案のパタークラブの実施の形態を詳細に説明する。
【００１８】
図１は本考案のパタークラブの一実施形態を示す正面図、図２はグリップ側から見た概略平面図、図３は図１のＡ−Ａ矢視図、図４は分解状態を示す正面図である。
【００１９】
このパタークラブは、クラブヘッド部材１１と、一方の端部がクラブヘッド部材１１に連結された非長尺のシャフト部材１２と、シャフト部材１２の他方の端部に装着されたグリップ部材１３とを有するパタークラブ本体１と、シャフト部材１２のうち、グリップ部材１３よりもクラブヘッド部材寄りの所定位置において取り外し可能に装着されたＬ字状の補助シャフト部材２１と、補助シャフト部材２１のうち、シャフト部材１２と平行な部分に装着されたグリップ部材２２とを有する補助グリップ部材２とを有し、クラブヘッド部材１１のフェースをパタークラブ本体１のグリップ部材１３と補助グリップ部材２のグリップ部材２２との中間位置に対応させて位置決めするようシャフト部材１２の一方の端部を基準とする所定範囲が湾曲されている。
【００２０】
前記クラブヘッド部材１１としては、ピン型のもの、マレット型のもの等、種々の形状のものを採用することができる。
【００２１】
前記グリップ部材１３としては、横断面が円形のものであればよいが、横断面が非円形であり、かつ横断面に凹みがなく左右対称であってもよい。材質は、従来公知の任意のものであればよい。
【００２２】
前記補助シャフト部材２１のうち、シャフト部材１２に当接する端部は、両グリップ部材１３、２２が互いに平行になるように位置決めする弧状凹所２１１を有し、該端部に連続する所定範囲は、ねじ穴２１３を有する固定用部材２１２を有し、シャフト部材１２のうち、補助シャフト部材２１が当接される所定位置は、ねじ穴２１３にねじ込まれるねじ部材２１４を貫通させる貫通孔１２１を有している。なお、固定用部材２１２は、溶接などにより補助シャフト部材２１の内部に固定されている。
【００２３】
上記の構成のパタークラブであれば、パタークラブ本体１に対して補助グリップ部材２を取り付け、ねじ部材２１４により固定すれば、パタークラブ本体１のグリップ部材１３と補助グリップ部材２のグリップ部材２２を互いに平行にすることができる（正確には、グリップ部材１３の軸線とグリップ部材２２の軸線を互いに平行にすることができる）。
そして、この状態でのパタークラブはゴルフルールに適合していない。
【００２４】
ただし、補助グリップ部材２を取り外して、パタークラブ本体１のみにすれば、ゴルフルールに適合する。
【００２５】
したがって、シャフト部材１２に装着されたグリップ部材１３と補助シャフト部材２１に装着されたグリップ部材２２を右手と左手で握ることによって、簡単にゴルフボールに対して正しいアドレスをとることができる。すなわち、一方の肩が前に出るような不都合のないアドレスをとることができる。
【００２６】
そして、このようにしてとったアドレスを記憶に留めたままで、シャフト部材１２に装着されたグリップ部材１３のみを両手で握ることによって、ゴルフボールに対して正しいアドレスをとることができる。すなわち、一方の肩が前に出るような不都合のないアドレスをとることができる。
【００２７】
これらの一連の動作を反復することによって、補助グリップ部材２が存在しない場合であっても、ゴルフボールに対して正しいアドレスをとることができるようになる。そしてゴルフ競技の前に補助グリップ部材２を取り外しておくことによって、ゴルフルールに適合するパタークラブ本体１でゴルフ競技を遂行することができる。
【００２８】
このパタークラブ本体１は、クラブヘッド部材１１のフェース面がシャフト部材１２を基準としてストロークする方向にオフセットされているので、逆グリップ（利き手を手前側にしてグリップ部材を両手でグリップすること）でのストロークに好適である。
【００２９】
なお、補助グリップ部材２を取り外した状態では、パタークラブ本体１には貫通孔１２１が存在するので、機械的強度が若干低下することになるが、他のクラブと比較すると、パタークラブではストローク時の衝撃が著しく小さいので、多少の機械的強度の低下は問題にはならない。
【００３０】
また、パタークラブ本体１に対して補助グリップ部材２を取り外し可能に連結するための構成は、上記の構成には限定されず、ベルト状部材をパタークラブ本体１に巻きつけた状態で補助シャフト部材に連結する構成、補助シャフト部材をパタークラブ本体のシャフト部材を貫通させ、この状態で、抜け止め部材により抜け止めを達成する構成など、種々の構成を採用することが可能である。ただし、上記の構成を採用することが最も好ましく、位置決めの確実性を高めることができ、しかも、パタークラブ本体１の機械的強度を低減することができる。
【００３１】
パタークラブ本体１のグリップ部材１３と補助グリップ部材２のグリップ部材２２との間隔（グリップ部材１３、２２どうしの互いに対向する部分の間隔）は、グリップ部材１３、２２をそれぞれの手でグリップできる範囲で任意に設定することができる。ただし、前記間隔がゴルフボールの直径と等しい距離に設定されているとともに、クラブヘッド部材１１のフェースがゴルフボールの半径と等しい距離だけオフセットされていることが好ましい。
【００３２】
この場合には、逆グリップでスムーズなストロークを達成することができ、プッシュアウト、引っ掛けなどの発生を防止することができる。
【図面の簡単な説明】
【００３３】
【図１】本考案のパタークラブの一実施形態を示す正面図である。
【図２】グリップ側から見た概略平面図である。
【図３】図１のＡ−Ａ矢視図である。
【図４】分解状態を示す正面図である。
【符号の説明】
【００３４】
１    パタークラブ本体
１１    クラブヘッド部材
１２    シャフト部材
１３    グリップ部材
２    補助グリップ部材
２１    シャフト部材
２２    グリップ部材
【図１】
0003139382.tif 000003
【図２】
0003139382.tif 000004
【図３】
0003139382.tif 000005
【図４】
0003139382.tif 000006